Podtech/llm-jp-corpus-v4-ja_patent huggingface dataset:
【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
シューアッパーを含む靴と、膨張可能なシューインサートアセンブリとを含み、膨張可能な、靴およびインサートのアセンブリであって、
前記膨張可能なシューインサートアセンブリは、
対向する可撓性のポリマープライで形成され、膨張流体を封止するように構成された管形状を有する管状要素膨張チャンバを画定する封止パターンに沿って前記ポリマープライが一緒に封止される、管状要素と、
対向する可撓性のポリマープライで形成され、膨張流体を封止するように構成された成形要素膨張チャンバを画定する封止パターンに沿って前記ポリマープライが一緒に封止される、成形要素と、
を含み、
前記成形要素および管状要素が、シューアッパー内で一緒に嵌合し、シューアッパーの形を協働して支持しおよび維持する設置位置に互いに支持するように、構成されおよび寸法決めされ、
前記管状要素が前記設置位置において前記シューアッパー内から前記靴のかかとまで前記靴の前後方向に沿って延在する、アセンブリ。
【請求項２】
前記管状要素の長さは、前記成形要素の長さよりも大きく、
前記成形要素の幅は、前記管状要素の幅より大きく、
前記成形要素は、前記設置位置において前記管状要素と重なることができる、請求項１に記載のアセンブリ。
【請求項３】
前記管状要素は、前記靴よりも長く、
前記成形要素は、前記管状要素が前記成形要素の下方で二重になるように前記管状要素が曲げられた状態で前記設置位置に嵌合するように構成されている、請求項１に記載のアセンブリ。
【請求項４】
前記成形要素の前記封止パターンは、互いにシールされた複数の別個の膨張チャンバを画定する、請求項１に記載のアセンブリ。
【請求項５】
前記成形要素の前記封止パターンは、前記成形要素にヒンジ線を画定し、前記設置位置において前記成形要素を曲げることを容易にする、請求項４に記載のアセンブリ。
【請求項６】
前記成形要素の前記封止パターンは、膨張されたときに、前記成形要素にテーパープロファイルを提供する、請求項１に記載のアセンブリ。
【請求項７】
前記管状要素の前記封止パターンおよび前記成形要素の前記封止パターンは、前記靴内に一緒に嵌合し、前記靴の上部の形を協働して支持および維持し前記靴内の設置位置において互いに支持する膨張構成を、前記管状要素および前記成形要素に提供する、請求項１に記載のアセンブリ。
【請求項８】
前記膨張チャンバは膨張され、封止され、
前記管状要素および前記成形要素は前記靴内の設置位置に受容され、前記靴内において前記管状要素および前記成形要素が互いに支持し、協働して支持し、前記シューアッパーの形を維持する、請求項１に記載のアセンブリ。
【請求項９】
前記膨張可能なシューインサートアセンブリは、前後方向に形成された前後ヒンジ線に対して内外方向に曲げられて構成される、請求項１に記載のアセンブリ。
【請求項１０】
前記膨張可能なシューインサートアセンブリは、前記シューインサートアセンブリの厚さを増大させるために、前記前後ヒンジ線の周りで内外方向に曲がるように構成される、請求項９に記載のアセンブリ。
【請求項１１】
前記膨張可能なシューインサートアセンブリは、前後方向および内外方向に対する斜め方向ヒンジ線をさらに含む、請求項１に記載のアセンブリ。
【請求項１２】
前記膨張可能なシューインサートアセンブリは、前記設置位置内で前記シューアッパーを支持するために、前記斜め方向ヒンジ線で曲がるように構成される、請求項９に記載のアセンブリ。
【請求項１３】
前記膨張可能なシューインサートアセンブリは、内外方向に形成された内外ヒンジ線をさらに含む、請求項１に記載のアセンブリ。
【請求項１４】
前記膨張可能なシューインサートアセンブリは、前記シューインサートアセンブリの厚さを増大させるために、前記内外ヒンジ線で前後方向に曲がるように構成される、請求項１３に記載のアセンブリ。
【請求項１５】
前記シューアッパーは内外方向にテーパー形状を有するバンプ領域を有し、
前記成形要素は、前記バンプ領域のテーパー形状を支持するように構成されたテーパー形状をさらに備える、請求項１に記載のアセンブリ。
【請求項１６】
シューアッパーを含む靴と、
対向する可撓性のポリマープライを含み、
前記ポリマープライは、シールパターンにそって一緒に封止され、
前記シールパターンは、
複数の膨張チャンバ領域を含み、膨張流体を封止するように構成された複数の膨張チャンバと、
前記シューアッパー内に嵌合するようにチャンバ領域が互いに対して折り畳まれることを可能にする第１ヒンジ線と、
を画定し、
前記膨張し折り畳まれたインサートは前記シューアッパーに嵌合するようにテーパーが付けられている、膨張可能なシューアッパーインサート。
【請求項１７】
前記第１ヒンジ線は、前記シューアッパーに嵌合するように前記テーパー形状に対して概ね前後方向に延在する、請求項１６に記載の膨張可能なシューアッパーインサート。
【請求項１８】
前記封止パターンは、第１および第２ヒンジ線が外側、中央、および内側チャンバ領域を分割するように、概ね前後方向に延在する第２ヒンジを含む、請求項１６に記載の膨張可能なシューアッパーインサート。
【請求項１９】
ヒンジ線は、前記シューアッパーに嵌合するために、前記テーパー形状に対して概ね内外方向に延在する、請求項１６に記載の膨張可能なシューアッパーインサート。
【請求項２０】
前記インサートの前記テーパーは前記のバンプ領域のテーパー形状に嵌合し、支持するように構成される、請求項１６に記載の膨張可能なシューアッパーインサート。
【手続補正２】
【補正対象書類名】明細書
【補正対象項目名】発明の名称
【補正方法】変更
【補正の内容】
【発明の名称】アセンブリおよび膨張可能なシューアッパーインサート
【手続補正書】
【提出日】令和3年10月20日(2021.10.20)
【手続補正１】
【補正対象書類名】特許請求の範囲
【補正対象項目名】全文
【補正方法】変更
【補正の内容】
【特許請求の範囲】
【請求項１】
一般式（Ｉ）
【化１】
2021506307.tif 000001
［式中、
Ｒ１、Ｒ１ａおよびＲ１ｂは、互いに独立して、ＯＨ、Ｏグルコース、またはＯキシロース、またはＯガラクトース、またはＯアラビノースを表し、
Ｒ２は、次の構造
【化２】
2021506307.tif 000002
のいずれか１つであり、
Ａ１、Ａ２およびＡ３は、互いに独立して、Ｈ、ＯＨ、ＯＯＨ、またはＯＭｅを表し、
Ｂ１およびＢ２は、互いに独立して、Ｈ、ＯＨ、またはＯを表し、
点線は、単結合または二重結合を意味する。］
で示される化合物の少なくとも１つ、を含むか、または、からなる、甘味組成物。
【請求項２】
以下の化合物：
【化３】
2021506307.tif 000003
【化４】
2021506307.tif 000004
【化５】
2021506307.tif 000005
【化６】
2021506307.tif 000006
【化７】
2021506307.tif 000007
【化８】
2021506307.tif 000008
【化９】
2021506307.tif 000009
【化１０】
2021506307.tif 000010
【化１１】
2021506307.tif 000011
【化１２】
2021506307.tif 000012
【化１３】
2021506307.tif 000013
および
【化１４】
2021506307.tif 000014
からなる群から選択される少なくとも１つの化合物、を含むか、または、からなる、請求項１に記載の組成物。
【請求項３】
植物アマチャヅル（Ｇｙｎｏｓｔｅｍｍａ  ｐｅｎｔａｐｈｙｌｌｕｍ）の水および／またはアルコール抽出により得られる、式（Ｉ）の化合物の１つまたは複数を含む、抽出物。
【請求項４】
以下の化合物：
【化１５】
2021506307.tif 000015
【化１６】
2021506307.tif 000016
【化１７】
2021506307.tif 000017
【化１８】
2021506307.tif 000018
【化１９】
2021506307.tif 000019
【化２０】
2021506307.tif 000020
【化２１】
2021506307.tif 000021
【化２２】
2021506307.tif 000022
【化２３】
2021506307.tif 000023
【化２４】
2021506307.tif 000024
【化２５】
2021506307.tif 000025
および
【化２６】
2021506307.tif 000026
からなる群から選択される少なくとも１つの化合物を含む、請求項３に記載の抽出物。
【請求項５】
次の工程：
（ａ）アマチャヅルの根、葉、または地上部の、水、Ｃ１−Ｃ４脂肪族アルコール、アセトン、酢酸エチル、メチルエチルケトン、メチル−ｔブチルエーテル、またはそれらの混合物の懸濁液を得ること、
（ｂ）水、Ｃ１−Ｃ４脂肪族アルコール、アセトン、酢酸エチル、メチルエチルケトン、メチル−ｔブチルエーテル、またはそれらの混合物を用いて、約２０〜約５０℃の温度で、前記懸濁液を抽出にかけること、および、任意に、
（ｃ）溶媒を分離すること、
を含むか、または、からなる、式（Ｉ）に記載の化合物が豊富なアマチャヅルの抽出物を得る方法。
【請求項６】
請求項１に記載の甘味組成物、または請求項３に記載の抽出物、を含む、食品組成物。
【請求項７】
追加の甘味料または甘味化合物、芳香化合物、香味化合物、およびそれらの混合物からなる群から選択される成分をさらに含む、請求項６に記載の組成物。
【請求項８】
請求項１に記載の甘味組成物、または請求項３に記載の抽出物、を含む、口腔用組成物。
【請求項９】
追加の甘味料または甘味化合物、芳香化合物、香味化合物、およびそれらの混合物からなる群から選択される成分をさらに含む、請求項６に記載の組成物。
【請求項１０】
請求項１に記載の甘味組成物、または請求項３に記載の抽出物、を含む、医薬組成物。
【請求項１１】
追加の甘味料または甘味化合物、芳香化合物、香味化合物、およびそれらの混合物からなる群から選択される成分をさらに含む、請求項１０に記載の組成物。
【請求項１２】
請求項１に記載の甘味組成物または請求項３に記載の抽出物を、口腔での使用を意図する組成物に、所望の程度の甘味を与えるのに十分な有効量で加えることを含む、食品または医薬組成物における、甘味作用を創出または増強する方法。
【請求項１３】
甘味組成物または抽出物が、最終組成物で計算して、１〜約２０００ｐｐｍの量で、食品、口腔用または医薬組成物に添加される、請求項１２に記載の方法。
【請求項１４】
請求項１に記載の甘味組成物または請求項３に記載の抽出物の、食品または医薬組成物の甘味料としての使用。
【請求項１５】
甘味組成物または抽出物が、最終組成物で計算して、１〜約２０００ｐｐｍの量で、食品、口腔用または医薬組成物に添加される、請求項１４に記載の使用。
【手続補正２】
【補正対象書類名】明細書
【補正対象項目名】０００９
【補正方法】変更
【補正の内容】
【０００９】
本発明の目的は、一般式（Ｉ）
【化１】
2021506307.tif 000027
［式中、
Ｒ１、Ｒ１ａおよびＲ１ｂは、互いに独立して、ＯＨ、Ｏグルコース、またはＯキシロース、またはＯガラクトース、またはＯアラビノースを表し、
Ｒ２は、次の構造
【化２】
2021506307.tif 000028
のいずれか１つであり、
Ａ１、Ａ２およびＡ３は、互いに独立して、Ｈ、ＯＨ、ＯＯＨ、またはＯＭｅを表し、
Ｂ１およびＢ２は、互いに独立して、Ｈ、ＯＨ、ＯＯＨ、ＯＭｅ、またはＯを表し、
点線は、単結合または二重結合を意味する。］
で示される化合物の少なくとも１つ、を含むか、または、からなる、甘味組成物、である。
【手続補正書】
【提出日】令和3年6月23日(2021.6.23)
【手続補正１】
【補正対象書類名】明細書
【補正対象項目名】０１３１
【補正方法】変更
【補正の内容】
【０１３１】
表8：Biacoreによる標的C及び標的Dの親和性測定。「NB」は結合しないことを意味する。
【表８】
2021506310.tif 000001
本件出願は、以下の態様の発明を提供する。
（態様１）
(a) 第1の標的抗原と結合する、第1のIgG Fcドメインポリペプチドと動作可能に連結された単一ドメイン抗体（VHH）結合領域；及び
(b) 第2の標的抗原と結合する、第2のIgG Fcドメインポリペプチドと動作可能に連結された従来のIgG抗体のFab部分を含む、二重特異性抗原結合コンストラクトであって、
該第1及び第2のIgG Fcドメインポリペプチドが、二量体化して二重特異性抗原結合コンストラクトを形成する、前記二重特異性抗原結合コンストラクト。 
（態様2）
前記VHH結合領域及びFab部分がラクダ科動物由来である、態様1記載の二重特異性抗原結合コンストラクト。 
（態様3）
前記第1及び第2のIgG Fcドメインポリペプチドが、ノブ・イントゥ・ホール相互作用、 Fabアーム交換（FAE）、静電的誘導相互作用、又は疎水性相互作用によって二量体化する、態様1又は2記載の二重特異性抗原結合コンストラクト。
（態様4）
前記第1のIgG Fcドメインポリペプチドがノブ置換を含み、かつ前記第2のIgG Fcドメインポリペプチドがホール置換を含む、態様1〜3のいずれか1項記載の二重特異性抗原結合コンストラクト。
（態様5）
前記ノブ置換がアルギニン（R）、フェニルアラニン（F）、チロシン（Y）、及びトリプトファン（W）からなる群から選択される、態様4記載の二重特異性抗原結合コンストラクト。
（態様6）
前記ホール置換がアラニン（A）、アスパラギン（N）、アスパラギン酸（D）、グリシン（G）、セリン（S）、スレオニン（T）、及びバリン（V）からなる群から選択される、態様4又は5記載の二重特異性抗原結合コンストラクト。
（態様7）
約100 kDa〜約120 kDaの範囲の分子量を有する、態様1〜6のいずれか1項記載の二重特異性抗原結合コンストラクト。
（態様8）
態様1〜7のいずれか1項記載の二重特異性抗原結合コンストラクトを含む、医薬組成物。
（態様9）
態様1〜7のいずれか1項記載の二重特異性抗原結合コンストラクトをコードする核酸。 
（態様10）
態様9記載の核酸を含むベクター。
（態様11）
態様10記載のベクターを含む宿主細胞。 
（態様12）
態様11記載の宿主細胞を培養すること、及び前記二重特異性抗原結合コンストラクトを単離することを含む、二重特異性抗原結合コンストラクトの作製方法。 
（態様13）
それに罹患する対象における疾患又は障害を治療する方法であって、該対象に態様1〜7のいずれか1項記載の二重特異性抗原結合コンストラクトを投与することを含む、前記方法。
（態様14）
態様1〜7のいずれか1項記載の二重特異性抗原結合コンストラクトを精製する方法であって、
(a) 異なるサイズの抗原結合コンストラクトを含む、混合抗原結合コンストラクト組成物を提供する工程；並びに
(b) サイズに基づいて混合抗原結合コンストラクト組成物を分離する工程であって、 
所望の二重特異性抗原結合コンストラクトが、 
(i) 第1の標的抗原と結合する、第1のIgG Fc ドメインポリペプチドと動作可能に連結された単一ドメイン抗体（VHH）結合領域；及び 
(ii) 第2の標的抗原と結合する、第2のIgG Fcドメインポリペプチドと動作可能に連結された従来型のIgG抗体のFab部分を含み、該第1及び第2のIgG Fcドメインポリペプチドが、二量体化して該二重特異性抗原結合コンストラクトを形成し、それにより、該二重特異性抗原結合コンストラクトを精製する、前記工程、を含む、前記方法。
（態様15）
前記サイズに基づいて分離する工程が、サイズ排除クロマトグラフィーを含む、態様14記載の方法。 
（態様16）
前記混合抗原結合コンストラクト組成物を、最初にプロテインA-、プロテインG-、プロテインL-、又はCH1-選択的クロマトグラフィーによって精製する、態様14又は15記載の方法。
（態様17）
他の抗原結合コンストラクトの混合物中の態様1〜7のいずれか1項記載の二重特異性抗原結合コンストラクトの量を決定する方法であって、
(a) 異なるサイズの抗原結合コンストラクトを含む、混合抗原結合コンストラクト組成物を提供する工程；並びに
(b) サイズに基づいて混合抗原結合コンストラクト組成物を分離する工程であって、 
所望の二重特異性抗原結合コンストラクトが、 
(i) 第1の標的抗原と結合する、第1のIgG Fc ドメインポリペプチドと動作可能に連結された単一ドメイン抗体（VHH）結合領域；及び 
(ii) 第2の標的抗原と結合する、第2のIgG Fcドメインポリペプチドと動作可能に連結された従来型のIgG抗体のFab部分を含み、該第1及び第2のIgG Fcドメインポリペプチドが、二量体化して該二重特異性抗原結合コンストラクトを形成する、前記工程、を含む、前記方法。
（態様18）
前記サイズに基づいて分離する工程が、ゲル電気泳動を含む、態様17記載の方法。 
（態様19）
前記所望の二重特異性抗原結合コンストラクトが、約100 kDa〜約120 kDaである、態様17又は18記載の方法。
（態様20）
前記他の抗原結合コンストラクトが約75 kDa又は約150 kDaである、態様17〜19のいずれか1項記載の方法。
【誤訳訂正書】
【提出日】令和2年12月11日(2020.12.11)
【誤訳訂正１】
【訂正対象書類名】特許請求の範囲
【訂正対象項目名】全文
【訂正方法】変更
【訂正の内容】
【特許請求の範囲】
【請求項１】
脊椎手術用の装置であって、
前記装置は、１つの案内スリーブ（３）と、１つの拡張器（４）とを備え、
前記案内スリーブ（３）の内輪郭に対応する外輪郭を有する前記拡張器（４）が前記案内スリーブ（３）内に配置され、前記拡張器（４）を介して前記案内スリーブ（３）はスライドされ、
前記案内スリーブ（３）は非シリンダ状の外套（３．１）を有し、
前記非シリンダ状の外套（３．１）は、前記非シリンダ状の外套（３．１）の長手軸に垂直な断面において互いに対向する２つの長辺（３．３、３．４）と前記２つの長辺（３．３、３．４）を接続する２つの短辺（３．５、３．６）を有し、前記２つの長辺（３．３、３．４）は前記２つの短辺（３．５、３．６）よりも幅が大きく、
前記２つの長辺（３．３、３．４）の一方は平坦であり、もう一方は外方に向かって凸状に湾曲しており、
前記２つの長辺（３．３、３．４）と前記２つの短辺（３．５、３．６）との間の移行部の曲率半径は、３から４．５ｍｍの間である、
ことを特徴とする装置。
【請求項２】
外に向かって凸状に湾曲している前記長辺（３．３，３．４）の一方は、１１から１２．５ｍｍの曲率半径（Ｒ）を有する、ことを特徴とする請求項１に記載の装置。
【請求項３】
前記短辺（３．５，３．６）は遠位に、前記長辺（３．３，３．４）を超えて突き出る突起（３．７）を有する、ことを特徴とする請求項１または２に記載の装置。
【請求項４】
前記突起（３．７）は、前記案内スリーブ（３）の自由端部に向かって先細になっており、前記自由端部において丸められている、ことを特徴とする請求項３に記載の装置。
【請求項５】
前記短辺（３．５，３．６）は、前記長辺（３．３，３．４）よりも大きな厚さを有し、好ましくは前記長辺（３．３、３．４）の厚さは０．８ｍｍから１．２ｍｍであり、および／または前記短辺（３．５，３．６）の厚さは１．２ｍｍから１．７ｍｍ超である、ことを特徴とする請求項１から４のいずれか一項に記載の装置。
【請求項６】
前記案内スリーブ（３）は、前記案内スリーブ（３）の長手軸に対して垂直に延在する溝（４．２）を、前記案内スリーブ（３）の外側の近位領域の前記短辺（３．５、３．６）に有する、ことを特徴とする請求項１から５のいずれか一項に記載の装置。
【請求項７】
前記案内スリーブ（３）の外側の近位領域の２つの前記短辺（３．５、３．６）に互いに対向する開口部（３．９）を有する、ことを特徴とする請求項１から６のいずれか一項に記載の装置。
【請求項８】
請求項１から７のいずれか一項に記載の装置を有する脊椎手術用のセットであって、
前記拡張器（４）の内腔はシリンダ状に構成されている、ことを特徴とするセット。
【請求項９】
請求項１から７のいずれか一項に記載の装置の一部材としての、脊椎手術用の案内スリーブ（３）において、非シリンダ状の外套（３．１）を特徴とする案内スリーブ。
【請求項１０】
互いに対向する２つの前記長辺（３．３，３．４）は、前記長辺（３．３，３．４）を接続する前記短辺（３．５，３．６）の幅よりも大きい幅を有する、ことを特徴とする請求項９に記載の案内スリーブ。
【請求項１１】
前記長辺（３．３，３．４）の一方は平坦である、ことを特徴とする請求項９または１０に記載の案内スリーブ。
【請求項１２】
前記長辺（３．３，３．４）の一方は外に向かって凸状に湾曲しており、１１から１２．５ｍｍの曲率半径（Ｒ）を有する、ことを特徴とする請求項９から１１のいずれか一項に記載の案内スリーブ。
【請求項１３】
前記長辺（３．３，３．４）と短辺（３．５，３．６）との間の移行部の曲率半径は、３から４．５ｍｍの間である、ことを特徴とする請求項９から１２のいずれか一項に記載の案内スリーブ。
【請求項１４】
前記短辺（３．５，３．６）は遠位に、前記長辺（３．３，３．４）を超えて突き出る前記突起（３．７）を有する、ことを特徴とする請求項９から１３のいずれか一項に記載の案内スリーブ。
【請求項１５】
前記突起（３．７）は、前記案内スリーブ（３）の自由端部に向かって先細になっており、前記自由端部において丸められている、ことを特徴とする請求項１４に記載の案内スリーブ。
【請求項１６】
前記短辺（３．５，３．６）は、長辺（３．３，３．４）よりも大きな厚さを有し、前記長辺（３．３、３．４）の厚さは０．８ｍｍから１．２ｍｍであり、および／または短辺（３．５，３．６）の厚さは１．２ｍｍから１．７ｍｍ超である、ことを特徴とする請求項９から１５のいずれか一項に記載の案内スリーブ。
【請求項１７】
前記案内スリーブ（３）は、前記案内スリーブ（３）の長手軸に対して垂直に延在する溝（４．２）を、前記案内スリーブ（３）の外側の近位領域の前記短辺（３．５，３．６）に有する、ことを特徴とする請求項９から１６のいずれか一項に記載の案内スリーブ。
【請求項１８】
前記案内スリーブ（３）は、前記案内スリーブ（３）の外側の近位領域の２つの前記短辺（３．５、３．６）に互いに対向する開口部（３．９）を有することを特徴とする、請求項９から１７のいずれか一項に記載の案内スリーブ。
【請求項１９】
請求項９から請求項１８のいずれか一項に記載の案内スリーブ（３）と、前記案内スリーブ（３）によって位置決めされる椎間ケージ（２）とから成る脊椎手術用のセットにおいて、
前記案内スリーブ（３）の内腔は、前記椎間ケージ（２）の最大断面輪郭に適合されている、ことを特徴とするセット。
【誤訳訂正２】
【訂正対象書類名】明細書
【訂正対象項目名】００１２
【訂正方法】変更
【訂正の内容】
【００１２】
さらに好ましい構成では、スリーブおよび／または拡張器は、それらの長手軸に対して横方向に延在する溝を、それらの外側の近位領域に、とりわけそれらの短辺に有する。これらの溝は、指に対して良好な把持を保証するために、または工具をスリーブないし拡張器から引き抜くために用いられる。一発展形態では、近位の歯／エッジ領域に直径方向に対向する開口部が設けられている。
【誤訳訂正３】
【訂正対象書類名】明細書
【訂正対象項目名】００２３
【訂正方法】変更
【訂正の内容】
【００２３】
上方の長辺３．３は、案内スリーブ３の幅にわたって外に向かい凸状に湾曲して構成されている（すなわち平坦ではない）。上方の長辺の曲率半径は、ここでは１２ｍｍである。スリーブは、その近位の外側に横溝３．８と直径方向に対向する壁開口部３．９とを有する。この構成によって執刀医の指ないし工具に対する把持性が改善される。
【誤訳訂正書】
【提出日】令和2年11月26日(2020.11.26)
【誤訳訂正１】
【訂正対象書類名】明細書
【訂正対象項目名】００５７
【訂正方法】変更
【訂正の内容】
【００５７】
代替的に、反応器ＩＩＩにおけるプロセス工程ｅ）の反応は、完全に、無機酸および／または有機酸、好ましくは硫酸、メタンスルホン酸またはトルエンスルホン酸の群から選択される均一系触媒の存在下に、５０℃から２００℃まで、好ましくは９０℃から１７０℃までの温度、および１．１ｂａｒから１０ｂａｒまで、好ましくは１．５ｂａｒから６ｂａｒまでの圧力で行われてよい。
【誤訳訂正２】
【訂正対象書類名】特許請求の範囲
【訂正対象項目名】全文
【訂正方法】変更
【訂正の内容】
【特許請求の範囲】
【請求項１】
アルキルメタクリレートおよびメタクリル酸を製造する方法であって、以下のプロセス工程：
ａ）反応器Ｉにおいてメタクロレインを合成する工程、
ｂ）反応器ＩＩにおいてメタクロレインをアルコールおよび酸素により酸化的エステル化してアルキルメタクリレートにする工程、ならびに
ｅ）反応器ＩＩＩにおいてアルキルメタクリレートの少なくとも一部を水と反応させてメタクリル酸にする工程
を含む方法。
【請求項２】
以下のプロセス工程：
ａ）反応器Ｉにおいてメタクロレインを合成する工程、
ｂ）反応器ＩＩにおいてメタクロレインをアルコールおよび酸素により酸化的エステル化してアルキルメタクリレートにする工程、
ｃ）過剰のメタクロレインを分離し、アルコールを少なくとも部分的に分離し、引き続き任意に酸で処理して、任意にアルキルメタクリレートを含む組成物を相分離する工程、
ｄ）抽出装置Ｉにおいて、水の供給下に、アルキルメタクリレートおよび任意にメタクリル酸を含む組成物を有機相として水相から分離する工程、
ｅ）反応器ＩＩＩにおいて、アルキルメタクリレートの少なくとも一部を水と反応させてメタクリル酸にする工程、
ｆ）プロセス工程ｅ）からのメタクリル酸およびアルキルメタクリレートを含む組成物を抽出装置Ｉに移送する工程、ならびに
ｇ）任意に分離段階Ｍにおいてメタクリル酸をアルキルメタクリレートから分離する工程
を含む、請求項１記載の方法。
【請求項３】
プロセス工程ｂ）で形成された反応水を、プロセス工程ｂ）およびｅ）の間でアルキルメタクリレートから分離して、プロセス工程ｅ）における加水分解のために全量または部分的に再び反応器ＩＩＩに供給することを特徴とする、請求項１または２記載の方法。
【請求項４】
プロセス工程ｅ）で形成されたアルコールを全量または部分的に分離して、プロセス工程ｂ）における酸化的エステル化のために全量または部分的に再び反応器ＩＩに供給することを特徴とする、請求項１から３までのいずれか１項記載の方法。
【請求項５】
プロセス工程ｃ）からのアルキルメタクリレートを含む組成物を、プロセス工程ｅ）の実施のために反応器ＩＩＩに導入し、プロセス工程ｅ）の後に、プロセス工程ｆ）、ｄ）およびｇ）を連続して実施することを特徴とする、請求項２から４までのいずれか１項記載の方法。
【請求項６】
プロセス工程ｃ）からのアルキルメタクリレートを含む組成物を、プロセス工程ｄ）の実施のために抽出装置Ｉに導入し、プロセス工程ｄ）からの有機相を、引き続き部分流としてプロセス工程ｅ）の実施のために反応器ＩＩＩに供給し、もう１つの部分流をプロセス工程ｇ）の実施のために分離段階Ｍに供給することを特徴とする、請求項２から４までのいずれか１項記載の方法。
【請求項７】
プロセス工程ｃ）からのアルキルメタクリレートを含む組成物を、プロセス工程ｄ）の実施のために抽出装置Ｉに導入して、プロセス工程ｄ）からの有機相を、引き続きプロセス工程ｇ）の実施のために分離段階Ｍに導入し、引き続き分離段階Ｍからのアルキルメタクリレート相の部分流を、プロセス工程ｅ）の実施のために反応器ＩＩＩに供給することを特徴とする、請求項２から４までのいずれか１項記載の方法。
【請求項８】
プロセス工程ｄ）からの水相を、水とアルコールと廃棄物流とに分離し、水を全量または部分的に反応器ＩＩＩに供給し、アルコールを全量または部分的に反応器ＩＩに供給し、かつ廃棄物流を処理に供給することを特徴とする、請求項５から７までのいずれか１項記載の方法。
【請求項９】
プロセス工程ａ）でプロピオンアルデヒドおよびホルムアルデヒドからマンニッヒ縮合によりメタクロレインを製造すること、およびプロセス工程ｃ）で分離されたメタクロレインおよびアルコールを反応器ＩＩに返送することを特徴とする、請求項２から８までのいずれか１項記載の方法。
【請求項１０】
プロセス工程ｇ）における分離段階Ｍは、少なくとも１つの蒸留であることを特徴とする、請求項２から８までのいずれか１項記載の方法。
【請求項１１】
反応器ＩＩＩにおけるプロセス工程ｅ）の反応を、ゼオライト、イオン交換樹脂および非晶質酸触媒の群から選択される不均一系触媒の存在下に、５０℃から２００℃までの温度で、および１．１ｂａｒから１０ｂａｒまでの圧力で行うことを特徴とする、請求項１から１０までのいずれか１項記載の方法。
【請求項１２】
反応器ＩＩＩにおけるプロセス工程ｅ）の反応を、無機酸および／または有機酸の群から選択される均一系触媒の存在下に、５０℃から２００℃までの温度で、および１．１ｂａｒから１０ｂａｒまでの圧力で行うことを特徴とする、請求項１から１０までのいずれか１項記載の方法。
【請求項１３】
アルコールはメタノールであり、アルキルメタクリレートはＭＭＡであることを特徴とする、請求項１から１２までのいずれか１項記載の方法。
【請求項１４】
純粋なアルキルメタクリレートを得るために、前記のそれぞれの流を反応器ＩＩＩへ導入する前に、部分流を後処理へ移すために取り出すか、または全体流を少なくとも一時的に反応器ＩＩＩの前で後処理に移すことを特徴とする、請求項１から１３までのいずれか１項記載の方法。
【請求項１５】
単離されたメタクリル酸と単離されたアルキルメタクリレートとの合計における、単離されたメタクリル酸のモル割合が、０．０２から１の間であるように行うことを特徴とする、請求項１から１４までのいずれか１項記載の方法。
【請求項１６】
アルキルメタクリレートおよびメタクリル酸を製造するための設備であって、少なくとも
ａ）メタクロレインを合成するための反応器Ｉ、
ｂ）メタクロレインをアルコールおよび酸素の存在下に酸化的エステル化してアルキルメタクリレートにするための反応器ＩＩ、
ｃ）反応器ＩＩからの反応器流出物を蒸留するため、酸による任意の処理のため、および任意でその後に引き続く、蒸留からのアルキルメタクリレート含有相の相分離のための蒸留塔、
ｄ）アルキルメタクリレートおよび任意にメタクリル酸を含む組成物を、水の供給下に有機相と水相とに分離するための抽出装置Ｉ、
ｅ）アルキルメタクリレートを部分的に加水分解してメタクリル酸にするための反応器ＩＩＩ、
ｆ）直接または間接的に抽出装置Ｉに通じる、反応器ＩＩＩからの配管、ならびに
ｇ）アルキルメタクリレートをメタクリル酸と分離するための少なくとも１つの蒸留塔
を有する設備。
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
基地局であって、前記基地局は、
無線器；及び
前記無線器に結合する処理要素
を備え、前記無線器及び前記処理要素は、
２つ以上のビット系列としてユーザ機器（ＵＥ）の固有制御情報を表し、前記２つ以上のビット系列は、Ｐｏｌａｒ符号の凍結ビット系列及び情報ビット系列を含み、
前記基地局及び前記ユーザ機器（ＵＥ）それぞれの２つ以上の識別子から２つ以上の擬似ランダム系列を生成し、前記２つ以上の識別子は、ＵＥ識別子と前記基地局の識別子とを含み、
変調制御情報を生成するため、前記ＵＥ識別子から生成された疑似ランダム系列により前記凍結ビット系列を変調し、前記基地局の識別子から生成された疑似ランダム系列により前記情報ビット系列を変調し、
符号化変調制御情報を得るため、前記変調制御情報を符号化し、前記変調制御情報の符号化は、前記符号化を実施するため、前記Ｐｏｌａｒ符号を使用し、
前記符号化変調制御情報をワイヤレス送信する
ように構成する、基地局。
【請求項２】
前記基地局の識別子から生成した前記擬似ランダム系列に基づく前記情報ビット系列の変調は、前記符号化変調制御情報を受信するＵＥが受ける隣接セルの干渉を軽減する、請求項１に記載の基地局。
【請求項３】
前記無線器及び前記処理要素は、
前記情報ビット系列を変調する前、前記情報ビット系列に、巡回冗長検査（ＣＲＣ）マスクによりスクランブルをかけたＣＲＣを付加する
ように更に構成する、請求項１に記載の基地局。
【請求項４】
前記無線器及び前記処理要素は、
前記ユーザ機器（ＵＥ）識別子に基づき前記巡回冗長検査（ＣＲＣ）を生成する
ように更に構成する、請求項３に記載の基地局。
【請求項５】
前記基地局の識別子から生成された疑似ランダム系列は、前記凍結ビット系列と同じ長さであり、
前記ＵＥ識別子から生成された疑似ランダム系列は、前記情報ビット系列と同じ長さである、請求項１に記載の基地局。
【請求項６】
前記符号化変調制御情報は、下りリンク制御情報（ＤＣＩ）ブラインド検出を実施するため、１つ又は複数のＵＥにワイヤレスに送信する、請求項１に記載の基地局。
【請求項７】
ユーザ機器デバイス（ＵＥ）であって、前記ユーザ機器デバイス（ＵＥ）は、
無線器；
非一時的コンピュータ可読メモリ媒体；及び
前記無線器及び前記非一時的コンピュータ可読メモリ媒体に結合するプロセッサ
を備え、前記ＵＥは、
凍結ビット及び情報ビットの符号化を含むＰｏｌａｒ符号化データを基地局からワイヤレスに受信し、
前記Ｐｏｌａｒ符号化データに対し復号手順を実施する
ように構成し、前記復号手順において、前記ユーザ機器デバイス（ＵＥ）は、
前記凍結ビットのサブセットを生成するため、前記Ｐｏｌａｒ符号化データの復号を開始し、
前記ＵＥの識別子から生成した第１の擬似ランダム系列により前記凍結ビットのサブセットを復調し、
前記凍結ビットの復調したサブセットと、前記ユーザ機器デバイス（ＵＥ）に既知である参照ビットの対応するサブセットとの間の相互相関計算を実施し、
前記相互相関計算の結果が相互相関閾値を上回るという決定に基づき、
前記情報ビットを生成するため、前記Ｐｏｌａｒ符号化データの復号を継続し、
基地局識別子から生成した第２の擬似ランダム系列により前記情報ビットを復調し、
前記復調した情報ビットを復号メッセージとして前記非一時的コンピュータ可読メモリ媒体に保存する
ように構成する、ユーザ機器デバイス（ＵＥ）。
【請求項８】
前記無線器及び前記プロセッサは、
前記相互相関計算の結果が前記相互相関閾値を下回るという決定に基づき、前記復号手順を中止する
ように更に構成する、請求項７に記載のユーザ機器デバイス（ＵＥ）。
【請求項９】
前記無線器及び前記プロセッサは、
前記復調した情報ビットのサブセット上で巡回冗長検査（ＣＲＣ）を実施する
ように更に構成する、請求項７に記載のユーザ機器デバイス（ＵＥ）。
【請求項１０】
下りリンク制御情報（ＤＣＩ）ブラインド検出手順の一部として、前記Ｐｏｌａｒ符号化データを受信し、前記復号手順を実施する、請求項７に記載のユーザ機器デバイス（ＵＥ）。
【請求項１１】
前記復号手順は、逐次除去リスト復号手順である、請求項７に記載のユーザ機器デバイス（ＵＥ）。
【請求項１２】
メッセージを復号する方法であって、前記方法は、
受信器によって、
凍結ビット及び情報ビットの符号化を含むＰｏｌａｒ符号化メッセージをワイヤレスに受信すること、
復号手順を実施すること
を含み、前記復号手順は、
前記凍結ビットのサブセットを生成するため、前記Ｐｏｌａｒ符号化メッセージの復号を開始すること、
前記受信器に保存した前記受信器の識別子から第１の擬似ランダム系列を生成すること、
前記第１の擬似ランダム系列を使用して前記凍結ビットのサブセットを復調すること、
前記凍結ビットの復調したサブセットと、参照ビット系列の対応するサブセットとの間の相互相関計算を実施すること、
前記相互相関計算の結果が相互相関閾値を上回るという決定に基づき、
前記情報ビットを生成するため、前記Ｐｏｌａｒ符号化メッセージの復号を継続し、
前記受信器に保存した送信器識別子から第２の擬似ランダム系列を生成すること
復号メッセージを生成するため、前記第２の擬似ランダム系列により前記情報ビットを復調すること、並びに
前記復号メッセージをメモリ媒体内に保存すること
によって行う、方法。
【請求項１３】
前記方法は、
前記相互相関計算の結果が前記相互相関閾値を下回るという決定に基づき、前記復号手順を中止すること
を更に含む、請求項１２に記載の方法。
【請求項１４】
前記情報ビットを復調した後、前記復号メッセージ上で巡回冗長検査（ＣＲＣ）を実施すること
を更に含む、請求項１２に記載の方法。
【請求項１５】
前記巡回冗長検査（ＣＲＣ）は、少なくとも部分的に、前記受信器の前記識別子に基づき実施する、請求項１４に記載の方法。
【請求項１６】
下りリンク制御情報（ＤＣＩ）ブラインド検出手順の一部として、前記Ｐｏｌａｒ符号化メッセージを受信し、前記復号手順を実施する、請求項１２に記載の方法。
【請求項１７】
前記復号手順は、逐次除去リスト復号手順である、請求項１２に記載の方法。
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
少なくとも2つのダウンリンク中心スロットまたは少なくとも2つのアップリンク中心スロットが集約されるワイヤレス通信システムでのワイヤレス通信デバイスにおける通信の方法であって、
ユーザ機器(UE)において、共通アップリンクバーストの長さのインジケータを基地局から受信するステップと、
前記UEにおいて、前記基地局から受信された前記インジケータによって識別される前記長さを有する前記共通アップリンクバーストを構成するステップと、
前記UEから、前記共通アップリンクバーストを前記基地局に送信するステップと
を含む方法。
【請求項２】
前記共通アップリンクバーストの前記長さの前記インジケータを受信するステップは、ダウンリンク制御情報(DCI)、アップリンク制御情報(UCI)、スロットフォーマットインジケータ、制御フォーマットインジケータチャネル、または無線リソース制御(RRC)再構成メッセージのうちの1つまたは複数を介して受信するステップを含む、請求項1に記載の方法。
【請求項３】
前記共通アップリンクバーストは、長さが2シンボルを超える比較的長い共通アップリンクバーストを含み、
前記比較的長い共通アップリンクバーストは、1つまたは複数のUEに対応する1つまたは複数の物理アップリンク制御チャネル(PUCCH)リソースをさらに含む、請求項1に記載の方法。
【請求項４】
前記共通アップリンクバーストを送信するステップは、集約されたスロットを用いて単一の前記共通アップリンクバーストを送信するステップを含み、
前記集約されたスロットは、2つ以上のスロットを連続して送信または受信することを含む、請求項1に記載の方法。
【請求項５】
前記共通アップリンクバーストを送信するステップは、前記インジケータに対応する前記長さの前記共通アップリンクバーストの後続の送信を可能にするためにダウンリンク中心スロットを集約するステップを含み、
前記集約するステップは、2つ以上のダウンリンク中心スロットを連続して受信するステップを含む、請求項1に記載の方法。
【請求項６】
前記共通アップリンクバーストを送信するステップは、前記インジケータに対応する前記長さの前記共通アップリンクバーストの後続の送信を可能にするためにアップリンク中心スロットを集約するステップを含み、
前記集約するステップは、2つ以上のアップリンク中心スロットを連続して送信するステップを含む、請求項1に記載の方法。
【請求項７】
前記共通アップリンクバーストを送信するステップは、1または2シンボルを有する前記共通アップリンクバーストを送信するステップを含む、請求項1に記載の方法。
【請求項８】
前記共通アップリンクバーストを送信するステップは、2を超えるシンボルを有する前記共通アップリンクバーストを送信するステップを含む、請求項1に記載の方法。
【請求項９】
少なくとも2つのダウンリンク中心スロットまたは少なくとも2つのアップリンク中心スロットが集約されるワイヤレス通信システムでのワイヤレス通信デバイスにおける通信の方法であって、
基地局から、共通アップリンクバーストの長さのインジケータをユーザ機器(UE)に送信するステップと、
前記基地局において、前記共通アップリンクバーストを前記UEから受信するステップであって、前記共通アップリンクバーストは、前記基地局から送信された前記インジケータによって識別される前記長さを有する、ステップと
を含む方法。
【請求項１０】
前記共通アップリンクバーストは、長さが2シンボルを超える比較的長い共通アップリンクバーストを含み、
前記比較的長い共通アップリンクバーストは、1つまたは複数のUEに対応する1つまたは複数の物理アップリンク制御チャネル(PUCCH)リソースをさらに含む、請求項9に記載の方法。
【請求項１１】
前記共通アップリンクバーストを受信するステップは、集約されたスロットを用いて単一の前記共通アップリンクバーストを受信するステップを含み、
前記集約されたスロットは、2つ以上のスロットを連続して送信することを含む、請求項9に記載の方法。
【請求項１２】
前記共通アップリンクバーストを受信するステップは、1または2シンボルを有する前記共通アップリンクバーストを受信するステップを含む、請求項9に記載の方法。
【請求項１３】
前記共通アップリンクバーストを受信するステップは、2を超えるシンボルを有する前記共通アップリンクバーストを受信するステップを含む、請求項9に記載の方法。
【請求項１４】
少なくとも2つのダウンリンク中心スロットまたは少なくとも2つのアップリンク中心スロットが集約されるワイヤレス通信システムでのワイヤレス通信のためのユーザ機器(UE)であって、
トランシーバと、
メモリと、
前記トランシーバおよび前記メモリに結合されたプロセッサと
を備え、前記プロセッサは、
共通アップリンクバーストの長さのインジケータを基地局から受信し、
前記基地局から受信された前記インジケータによって識別される前記長さを有する前記共通アップリンクバーストを構成し、
前記共通アップリンクバーストを前記基地局に送信する
ように構成される、UE。
【請求項１５】
少なくとも2つのダウンリンク中心スロットまたは少なくとも2つのアップリンク中心スロットが集約されるワイヤレス通信システムでのワイヤレス通信のための基地局であって、
トランシーバと、
メモリと、
前記トランシーバおよび前記メモリに結合されたプロセッサと
を備え、前記プロセッサは、
共通アップリンクバーストの長さのインジケータをユーザ機器(UE)に送信することと、
前記共通アップリンクバーストを前記UEから受信することであって、前記共通アップリンクバーストは、前記基地局から送信された前記インジケータによって識別される前記長さを有する、受信することと
を行うように構成される、基地局。
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
ワイヤレスでＭＲＩ情報を通信する方法であって、前記方法は、
ＭＲＩシステム出射シーケンスを検出するステップと、
前記ＭＲＩシステム出射シーケンスの少なくとも１つのパラメータを特定するステップと、
特定された前記少なくとも１つのパラメータを相互相関させるステップと、
前記少なくとも１つのパラメータに基づいて、第１のカオス的符号化シーケンスに対する第１の初期状態と第２のカオス的符号化シーケンスに対する第２の初期状態とを決定するステップと、
前記ＭＲＩシステム出射シーケンスに応答して局所コイルにおいて生成されたＭＲＩ情報にマッピングされた変調シンボルから、前記変調シンボルの実数成分と前記変調シンボルの虚数成分とを取得するステップと、
前記第１の初期状態に基づいて、前記変調シンボルの前記実数成分を暗号化するステップと、
前記第２の初期状態に基づいて、前記変調シンボルの前記虚数成分を暗号化するステップと、
前記ＭＲＩ情報を通信するために使用される前記変調シンボルの暗号化された前記実数成分及び前記虚数成分をワイヤレスで送信するステップと、
を有する、ワイヤレスでＭＲＩ情報を通信する方法。
【請求項２】
前記暗号化するステップが、前記局所コイル専用の通信リンクのＰＨＹ層であって、前記ＭＲＩ情報を通信するために使用される前記変調シンボルの暗号化された前記実数成分及び前記虚数成分をワイヤレスで送信するために使用される通信リンクの当該ＰＨＹ層において実施される、
請求項１に記載の方法。
【請求項３】
前記少なくとも１つのパラメータが、前記ＭＲＩシステム出射シーケンスのシーケンスを備える、
請求項１又は２に記載の方法。
【請求項４】
前記実数成分を暗号化するために使用される暗号鍵が、前記第１のカオス的符号化シーケンスから構成され、
前記虚数成分を暗号化するために使用される暗号鍵が、前記第２のカオス的符号化シーケンスから構成される、
請求項１から３のいずれか一項に記載の方法。
【請求項５】
前記ＭＲＩシステム出射シーケンスの前記少なくとも１つのパラメータが、送信パラメータを含む、
請求項１から４のいずれか一項に記載の方法。
【請求項６】
前記ＭＲＩシステム出射シーケンスの前記少なくとも１つのパラメータが、前記局所コイルにおいて受信された信号の受信パラメータを含む、
請求項１から４のいずれか一項に記載の方法。
【請求項７】
前記実数成分を前記暗号化するステップが、前記第１のカオス的符号化シーケンスから構成された第１の暗号鍵シーケンスを生成するために、マップを通して前記第１の初期状態をマッピングするステップを有し、
前記虚数成分を前記暗号化するステップが、前記第２のカオス的符号化シーケンスから構成された第２の暗号鍵シーケンスを生成するために、マップを通して前記第２の初期状態をマッピングするステップを有する、
請求項１から６のいずれか一項に記載の方法。
【請求項８】
直交振幅変調シンボルが、コンステレーションマッピングを介して前記ＭＲＩ情報にマッピングされる、
請求項１に記載の方法。
【請求項９】
前記変調シンボルの前記実数成分と前記虚数成分とを分離するステップをさらに有する、
請求項１から８のいずれか一項に記載の方法。
【請求項１０】
無許可のコイルが通信システムを使用してＭＲＩデータを通信することが不可能であることを検出するステップをさらに有する、
請求項１から９のいずれか一項に記載の方法。
【請求項１１】
前記通信リンクの前記ＰＨＹ層において誤り訂正を実施するステップをさらに有する、
請求項２に記載の方法。
【請求項１２】
符号化に使用される暗号鍵が、ＭＲＩシステムの複数のセッションの各々に対して異なるように、前記第１のカオス的符号化シーケンス及び前記第２のカオス的符号化シーケンスが、前記ＭＲＩシステムにより規定される、
請求項１から１１のいずれか一項に記載の方法。
【請求項１３】
ワイヤレスでＭＲＩ情報を通信するための通信装置であって、前記通信装置は、
ＭＲＩシステム出射シーケンスを検出及び受信する受信器と、
前記ＭＲＩシステム出射シーケンスの少なくとも１つのパラメータを特定することと、特定された前記少なくとも１つのパラメータを相互相関させることと、前記少なくとも１つのパラメータに基づいて、第１のカオス的符号化シーケンスに対する第１の初期状態と第２のカオス的符号化シーケンスに対する第２の初期状態とを決定することと、前記ＭＲＩシステム出射シーケンスに応答して局所コイルにおいて生成されたＭＲＩ情報にマッピングされた変調シンボルから、前記変調シンボルの実数成分及び前記変調シンボルの虚数成分を取得することと、前記第１の初期状態に基づいて、前記変調シンボルの前記実数成分を暗号化することと、前記第２の初期状態に基づいて、前記変調シンボルの前記虚数成分を暗号化することと、を行う暗号化サブシステムと、
前記ＭＲＩ情報を通信するために使用される前記変調シンボルの暗号化された前記実数成分及び前記虚数成分をワイヤレスで送信する送信器と、
を備える、
ワイヤレスでＭＲＩ情報を通信するための通信装置。
【請求項１４】
前記暗号化サブシステムが、
命令を記憶するメモリと、
前記命令を実行するプロセッサと、
を備え、
前記プロセッサにより実行されたとき、
前記ＭＲＩシステム出射シーケンスの前記少なくとも１つのパラメータを特定することと、
特定された前記少なくとも１つのパラメータを相互相関させることと、
前記少なくとも１つのパラメータに基づいて、前記第１のカオス的符号化シーケンスに対する前記第１の初期状態と前記第２のカオス的符号化シーケンスに対する前記第２の初期状態とを決定することと、
前記第１の初期状態に基づいて、前記ＭＲＩ情報を通信するために使用される前記変調シンボルの前記実数成分を暗号化することと、
前記第２の初期状態に基づいて、前記ＭＲＩ情報を通信するために使用される前記変調シンボルの前記虚数成分を暗号化することと、
を有する動作を前記プロセッサが実施することを前記命令がもたらす、
請求項１３に記載の通信装置。
【請求項１５】
前記暗号化サブシステムにより暗号化することが、前記通信装置のＰＨＹ層において実施され、
前記通信装置が、前記局所コイル専用であって、前記ＭＲＩ情報を通信するために使用される前記変調シンボルの暗号化された前記実数成分及び前記虚数成分をワイヤレスで送信するために使用される、
請求項１３又は１４に記載の通信装置。
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
２つ以上の標的の位置に関して組織試料を試験するための方法であって、
（１）２つ以上の標的の存在に関して試験される試料を２つ以上の標的特異的結合パートナーと接触させることであって、各標的特異的結合パートナーが核酸鎖に結び付けられ、前記核酸鎖がドッキング鎖であり、異なる特異性の標的特異的結合パートナーが異なるドッキング鎖に結び付けられ、前記試料が組織試料である、前記接触させることと、
（２）任意に、非結合標的特異的結合パートナーを除去することと、
（３）前記試料を、前記異なるドッキング鎖に対して相補性を有する環状アンプリファイアー鎖と接触させることと、
（４）任意に、非結合非線形アンプリファイアー鎖を除去することと、
（５）前記ドッキング鎖の鎖状反復を含む増幅鎖を作り出すために前記ドッキング鎖をローリングサークル増幅で増幅させることと、
（６）前記試料を、中間鎖を介して直接または間接的に前記増幅鎖に結合することが可能な、異なる蛍光標識が付着した標識化イメージャー鎖と接触させることと、
（７）前記試料をイメージングして、結合した標識化イメージャー鎖の存在と位置を検出することと、
（８）前記結合した標識化イメージャー鎖からシグナルを消失させることと、
（９）任意に、ステップ（１）〜（８）またはこれらの任意のサブセットを反復することと、を含む、前記方法。
【請求項２】
前記環状アンプリファイアー鎖が、前記試料と接触させる前に、核酸鎖に結び付けられた前記標的特異的結合パートナーと組み合わされる、請求項１に記載の方法。
【請求項３】
前記ドッキング鎖をローリングサークル増幅で増幅させることが、前記試料を、標識化イメージャー鎖と接触させることとは別に起こる、請求項１又は２に記載の方法。
【請求項４】
前記ドッキング鎖をローリングサークル増幅で増幅させることが、前記試料を、標識化イメージャー鎖と接触させることと同じステップで起こり、前記イメージャー鎖が、前記イメージャー鎖の増幅を防止するために３’修飾を任意に含む、請求項１又は２に記載の方法。
【請求項５】
前記環状アンプリファイアー鎖が、前記イメージャー鎖と同一の配列を含む、請求項１−４のいずれか一項に記載の方法。
【請求項６】
２つ以上の標的の位置に関して試料を試験するための方法であって、
（１）前記試料を２つ以上の標的特異的結合パートナーと接触させることであって、各標的特異的結合パートナーが、直接または間接的に核酸鎖に結び付けられ、異なる特異性の標的特異的結合パートナーが、異なる核酸鎖に結び付けられ、前記核酸鎖が、プライマー鎖である、前記接触させることと、
（２）任意に、非結合標的特異的結合パートナーを除去することと、
（３）２つ以上のドッキング鎖を前記プライマー鎖と会合させることと、
（４）前記試料を、中間鎖を介して直接または間接的にドッキング鎖に結合することが可能な標識化イメージャー鎖と接触させることであって、前記標識化イメージャー鎖の各々が、イメージャー鎖とそれに付着した標識とを含む、前記接触させることと、
（５）任意に、非結合標識化イメージャー鎖を除去することと、
（６）前記試料をイメージングして、結合した標識化イメージャー鎖の存在と位置を検出することと、
（７）前記結合した標識化イメージャー鎖からシグナルを消失させることと、
（８）任意に、ステップ（１）〜（７）またはこれらの任意のサブセットを反復することと、を含む、前記方法。
【請求項７】
少なくとも２つの標的が、少なくとも２つの標識を使用してイメージングされ、前記シグナルが消失され、次いで少なくともさらに１つの標識が、イメージングされる、請求項１−６のいずれか一項に記載の方法であって、同じ標識のうちの少なくとも１つが、イメージングの各ステップに使用されてもよい方法。
【請求項８】
（６）−（９）のステップまたはそのサブステップが繰り返される、請求項１−５のいずれか一項に記載の方法であって、（６）−（７）のステップが繰り返されてもよい方法。
【請求項９】
前記消失させることが：
前記ドッキング鎖から前記結合したイメージャー鎖を除去すること；
前記イメージャー鎖から標識を除去すること；
前記イメージャー鎖上の標識を非活性化すること；及び
前記結合したイメージャー鎖を酵素的に開裂、修飾、または分解すること
から選択されるステップを含む、請求項１−８のいずれか一項に記載の方法。
【請求項１０】
前記標的特異的結合パートナーが、抗体である、請求項１−９のいずれか一項に記載の方法であって、前記消失させることが、前記ドッキング鎖と前記抗体との間の結合を破壊することを含む方法。
【請求項１１】
前記消失させることが、高温、低イオン強度緩衝液、変性剤、鎖置換、化学開裂、光化学開裂、及び酵素的開裂から選択される条件により達成される、請求項１−１０のいずれか一項に記載の方法。
【請求項１２】
前記酵素的切断が、実施され、前記酵素が、グリコシラーゼ、制限エンドヌクレアーゼ、ニッキングエンドヌクレアーゼ、ＤＮａｓｅ、ＲＮａｓｅ、及び非天然ヌクレオチドにおいて開裂する酵素から選択されてもよい、請求項１１に記載の方法。
【請求項１３】
前記核酸鎖が、ＤＮＡを含み、前記イメージャー鎖が、相補的なヌクレオチド配列を含む、請求項１−１２のいずれか一項に記載の方法。
【請求項１４】
前記イメージャー鎖が、ウラシル−ＤＮＡグリコシラーゼによって開裂され得る少なくとも１つのデオキシウリジンを含む、請求項１−１３のいずれか一項に記載の方法。
【請求項１５】
イメージャー鎖が、エンドヌクレアーゼによって開裂され得る非塩基部位を含む、請求項１−１４のいずれか一項に記載の方法であって、前記エンドヌクレアーゼが、エンドヌクレアーゼＶＩＩＩであってもよい、方法。